(57)【要約】      （修正有）【課題】微小液滴法の液滴アレイ測定をより効率的かつ簡便・迅速に行える装置を提供する。【解決手段】分散層流入部１０と連続層流入部２０とから流入した分散層及び連続層を、流路１１、２１を介して接触させ液滴化させる液滴生成部３０と、エマルジョン流路４０に分岐部５０を介して流体接続された液滴保持部６１と、分岐部５０に流体接続された、流体力学的な効果によって、液滴生成流路から流入した連続層を選択的に流入させる排出流路７０ａ、７０ｂと、液滴保持部６１及び排出流路７０ａ、７０ｂに流体接続された排出口８０と、を有するマイクロ流路チップと、マイクロ流路チップと流体接続された送液手段と、を備えた、装置１。【選択図】図１
2020169911.tif 000002
【特許請求の範囲】
【請求項１】
分散層と連続層とを接触させて液滴を形成させるための液滴生成流路と、
前記液滴生成流路に分岐部を介して流体接続された前記液滴を保持する液滴保持流路と、
前記分岐部に流体接続された、流体力学的な効果によって、前記液滴生成流路から流入した前記連続層を選択的に流入させる排出流路と、
前記液滴保持流路及び前記排出流路に流体接続された排出口と、
を有するマイクロ流路チップと、
前記マイクロ流路チップと流体接続された送液手段と、
を備えた、装置。
【請求項２】
前記マイクロ流路チップが有する流路断面が、円状、半円状、楕円状、凸型、凹型、長方形、台形のいずれかであることを特徴とする請求項１に記載の装置。
【請求項３】
前記分岐部が十字構造であって、
前記液滴生成流路の末端と前記液滴保持流路が前記分岐部を介して直線上に配置され、
２つの前記排出流路が前記分岐部を介して直線上に配置されたことを特徴とする請求項１又は２に記載の装置。
【請求項４】
２つの前記排出流路の流路断面形状及び流路長さが同一であることを特徴とする請求項３に記載の装置。
【請求項５】
前記十字部において、前記液滴生成流路側の流路断面積が、前記液滴保持流路側の流路断面積以下であることを特徴とする請求項３又は４に記載の装置。
【請求項６】
前記十字部において、前記液滴保持流路側の流路断面積が、前記排出流路側の流路断面積以上であることを特徴とする請求項３〜５に記載の装置。
【請求項７】
前記十字部において、前記液滴生成流路側の流路高さが、前記液滴保持流路側の流路高さと同じであり、前記排出流路側の流路高さ以上であることを特徴とする請求項３〜６に記載の装置。
【請求項８】
前記排出流路及び前記液滴保持流路が、その一部に流路断面積が一定となっている流路領域を有しており、前記液滴保持流路の当該流路領域の方が前記排出流路の当該流路領域よりも流路断面積が大きいことを特徴とする請求項１〜７に記載の装置。
【請求項９】
前記マイクロ流路チップが有する流路に気体が充填された状態で送液を開始し、送液と共に前記排出流路に連続層が、前記液滴保持流路にエマルジョンが気体の代わりに充填され、前記排出口に連続層又はエマルジョンが侵入する前に送液を停止することを特徴とする請求項８に記載の装置の運転方法。
【発明の詳細な説明】
【技術分野】
【０００１】
本発明は、液滴アレイ測定をより効率的かつ簡便・迅速に行える装置及び方法に関する。
【背景技術】
【０００２】
マイクロ流体装置を用いて、微小液滴内で所定の反応を行い、単一レベルで分子などを分画することで、デジタル計測への応用が期待されている。近年、装置の簡便化・迅速化の観点から、検出領域に液滴を単層に整列させて簡便にシグナルを測定する液滴アレイ測定が注目されている。
【０００３】
液滴アレイ測定では、より効率的にシグナル測定を行うため、検出領域に液滴を高密度かつ液滴同士が重ならないように配列させる必要がある。一般的な方法として、液滴同士が重ならないように液滴の大きさと同程度の高さの幅の広い流路に液滴を滞留させ保持する方法があるが（非特許文献１）、液滴を高密度に配列することに課題があった。例えば、液滴を流路に保持する前に、分散層と連続層の比重差などを利用してエマルジョンを濃縮するといった方法が提案されているが（特許文献１、非特許文献２）、送液操作が増加し、装置が複雑化するため、簡便・迅速な測定には不向きであった。
【先行技術文献】
【特許文献】
【０００４】
【特許文献１】特開２０１６−１３８８９６号公報
【非特許文献】
【０００５】
【非特許文献１】Ｃｈａｏｙｏｎｇ  Ｊａｍｅｓ  Ｙａｎｇ  ｅｔ  ａｌ，  ＢＩＯＭＩＣＲＯＦＬＵＩＤＩＣＳ  ８，  ０１４１１０（２０１４）
【非特許文献２】Ｄｅｎｉｚ  Ｐｅｋｉｎ  ｅｔ  ａｌ，Ｌａｂ  ｏｎ  ａ  Ｃｈｉｐ  １１，  ２１５６−２１６６（２０１１）
【非特許文献３】Ｒｅｍｉ  Ｄａｎｇｌａ  ｅｔ  ａｌ，  Ｌａｂ  ｏｎ  ａ  Ｃｈｉｐ  １０，  ２０３２-２０４５（２０１０）
【非特許文献４】Ｈｏｗａｒｄ  Ａ．  Ｓｔｏｎｅ  ｅｔ  ａｌ，  Ｍｉｃｒｏｆｌｕｉｄ  Ｎａｎｏｆｌｕｉｄ，  ５，５８５−５９４（２００８）
【発明の概要】
【発明が解決しようとする課題】
【０００６】
本発明の目的は、微小液滴法の液滴アレイ測定をより効率的かつ簡便・迅速に行える装置を提供することにある。
【課題を解決するための手段】
【０００７】
本発明者らは上記課題を解決するために、鋭意検討を重ねた結果、本発明に到達した。
【０００８】
すなわち本発明の一態様は、
分散層と連続層とを接触させて液滴を形成させるための液滴生成流路と、
前記液滴生成流路に分岐部を介して流体接続された前記液滴を保持する液滴保持流路と、
前記分岐部に流体接続された、流体力学的な効果によって、前記液滴生成流路から流入した前記連続層を選択的に流入させる排出流路と、
前記液滴保持流路及び前記排出流路に流体接続された排出口と、
を有するマイクロ流路チップと、
前記マイクロ流路チップと流体接続された送液手段と、
を備えた、装置である。
【０００９】
本発明では、前記分岐部において余分な連続層を前記排出流路へ移送することで、前記液滴保持流路（すなわち検出領域）に分散層と連続層を任意の体積比に濃縮したエマルジョンを移送することができる。また、１度の送液操作で液滴生成、液滴濃縮、液滴保持を連続した流路で行うことで可能となった。
【発明の効果】
【００１０】
本発明では、検出領域に液滴を高密度かつ液滴同士が重ならないように配列させることができ、安定した液滴生成と効率的な液滴アレイ測定を両立させることが可能となった。
【図面の簡単な説明】
【００１１】
【図１】本発明の装置の一態様を示す図（平面図）である。
【図２】図１に示す反応装置のＡ−Ａ’断面図（正面図）である。
【図３】図１のうち点線四角で囲まれた部分（濃縮用分岐部５０、十字構造）を拡大した図である。
【図４】ＤＬＤに基づく液滴のサイズ分離による濃縮を行う場合の分岐部５０の一態様を示す図である。
【図５】ＰＦＦに基づく液滴のサイズ分離による濃縮を行う場合の分岐部５０の一態様を示す図である。
【図６】液滴に働く慣性力に基づく液滴のサイズ分離による濃縮を行う場合の分岐部５０の一態様を示す図である。
【図７】ＨＤＦに基づく液滴の濃縮を行う場合の分岐部５０の一態様を示す図である。図内の放物線は一般的な円管流路における流速分布を示す。
【図８】実施例１における、送液開始から１分後、３分後、５分後、７分後、１７分後の分岐部５０の様子を示す図（明視野像）である。
【図９】実施例１における、送液開始から７分後に生成・濃縮された液滴の液滴保持部６１における様子を示す図（明視野像）である。
【発明を実施するための形態】
【００１２】
以下、本発明を実施する目的や語句の意義について、具体的な例示と共に説明するが、本発明は必ずしも例示に限定されるものではない。
【００１３】
本発明において、分散層とは目的とする試験のための一般対象としてのサンプル及び、サンプルに対して特定の試験を行うための試薬を含有する液体である。また、一般的に分散層内では、サンプル中の基質及び／又は分析物と試薬の反応が起こり、その反応の出現及び／又は反応の出現の程度を示す検出可能なシグナル（例えば、蛍光シグナル）を提供するものである。前記反応は、化学反応、結合反応、表現型の変化、又はこれらの組合せであってもよい。
【００１４】
本発明では、分散層と分散層に対して非混和性を示す連続層を接触させることで液滴を形成させる。液滴とは、連続層と接触することでカプセル封入された分散層のことをいう。また、エマルジョンとは、分散層と連続層を接触させることで得られた、分散層が液滴として連続層に分散した分散性溶液のことをいう。分散層が水系（Ｗ）の場合、連続層はオイル（Ｏ）とすればよく、この場合、分散層と連続層の接触により、ウォーターインオイル（Ｗ／Ｏ）型エマルジョンが形成される。前記オイルの一例として、シリコーンオイル、鉱油、フルオロカーボン、植物油、又はこれらの組合せがあげられる。なお、分散層及び／又は連続層に界面活性剤、その他添加剤をさらに含んでもよい。
【００１５】
また、本発明において形成される液滴の体積は、分析物を概ね一個保持できるだけの体積であるのが好ましく、具体的には、平均体積が０．００００１〜１００ｎＬであることが好ましい。また、単分散性が高い方が好ましく、具体的には、液滴体積の変動係数（ＣＶ）が２０％以下であることが好ましい。また、以下では説明をわかりやすくするため、液滴を球状として取り扱うが、流路構造や周囲の流れによって液滴が非球状になっていても同様に考えてよい。
【００１６】
さらに、液滴は少なくとも分析物の反応温度条件下で液滴の形状を維持できるだけの熱安定性を有していればよい。具体例として、本発明を、ＴＲＣ法による核酸増幅に適用する場合は４０℃から４８℃の温度条件下で、形状を維持できるだけの熱安定性を液滴が有していればよい。
【００１７】
以下、図面を用いてさらに詳細に説明する。
【００１８】
本発明の装置の一態様を図１から図３に示す。図１は平面図、図２は正面図（図１のＡ−Ａ’断面図）、図３は図１のうち点線四角で囲まれた部分を拡大した図である。装置１は、反応液滴を形成し保持するためのマイクロ流路チップ１００と、チップ１００内の液体の流れを制御するための吸引手段（ポンプ）２００から構成される（図２参照）。
【００１９】
マイクロ流路チップ１００は、分散層流入部１０と連続層流入部２０とから流入した分散層及び連続層を、流路１１、２１を介して液滴生成部３０にて接触させることで液滴化される。連続層中に分散層が液滴として分散したエマルジョンは、エマルジョン流路４０を介して分岐部５０で、エマルジョン中の液滴は濃縮流路６０に、エマルジョン中の余分な連続層は排出流路７０に選択的に分配され、濃縮されたエマルジョン中の液滴は液滴保持部６１に移送・保持される。図１において、液滴生成流路は、流路１１、２１、液滴生成部３０及びエマルジョン流路４０を含んだ一体の流路が該当し、液滴保持流路は、濃縮流路６０及び液滴保持部６１を含んだ一体の流路が該当する。
【００２０】
マイクロ流路チップ１００は、流路構造を正確かつ容易に作製可能なモールディングやエンボッシングなど当業者が通常用いる技術を組み合わせて作製すればよい。マイクロ流路チップ１００の作製に用いる材料として、ＰＤＭＳ（ポリジメチルシロキサン）、アクリルといったポリマー材料、ステンレスといった金属材料、ガラス、シリコーン、セラミックスなどが挙げられる。中でも流路自体を安価に作製でき、ディスポーザブルな態様としやすいポリマー材料を少なくとも部分的に用いると好ましい。
【００２１】
マイクロ流路チップ１００を構成する流路の幅や深さは、目的とする液滴の体積を考慮し適宜決定すればよい。例えば、標的分子がＤＮＡやＲＮＡなどの核酸であり、標的分子の反応が当該核酸のデジタル増幅反応（一分子単位での増幅反応）である場合は、ｐＬ又はｎＬオーダーの液滴作製が必要なため、エマルジョン流路４０周辺の流路の幅や深さは０．１から３００μｍの範囲とすると好ましい。
【００２２】
なお、マイクロ流路チップ１００を構成する流路及び各手段は、連続層に対して親和性の高い流路壁面にすると好ましい。連続層に対して親和性の高い材料を用いてマイクロ流路チップ１００を作製してもよく、非混和性液体に対して親和性の高い材料で流路壁面に相当する部分を表面処理してもよい。一例として、連続層としてフッ素系オイルを用いる場合、ＰＴＦＥ（ポリテトラフルオロエチレン）などのフッ素系高分子材料を用いてマイクロ流路チップを作製してもよく、フッ素系シラン化剤による流路壁面の表面処理を行なってもよい。
【００２３】
反応装置１では、吸引手段２００を用いて、排出口８０よりマイクロ流路チップ１００内の流体（気体、連続層又はエマルジョン）を吸引することで、分散層及び連続層をマイクロ流路チップ１００に陰圧で導入しているが、陽圧で導入する方法、遠心力や電場を用いて導入する方法、液面差（重力）と毛細管力で導入する方法を使用しても問題ない。なお、マイクロ流路チップ１００への導入を陰圧又は陽圧で行なう場合、吸引手段又は圧力印加手段を備えない側にも圧力を制御する手段を別個に又は共通に備えてもよく、大気圧開放又は実質的に大気圧開放されている態様としてもよい。
【００２４】
液滴生成流路は、図１に記載の構造に限定されるものではなく、Ｔ−ｊａｎｃｔｉｏｎ、Ｆｌｏｗ−Ｆｏｃｕｓ、ｃｏ−ｆｌｏｗ、ｓｔｅｐ−ｅｍｕｌｓｉｆｉｃａｔｉｏｎなどの一般的な液滴生成手法を利用した流路を適宜用いればよい。迅速にエマルジョンを生成するために液滴生成部３０を複数並列させてもよく、エマルジョン流路４０のように、エマルジョン中の液滴を攪拌し、後述するように液滴を流路の中心に位置させるための流路を備えていてもよい。
【００２５】
液滴保持流路の流路高さは、液滴の直径と同程度にするのが好ましい。また、液滴保持流路の幅・長さに関しても、検出領域や液滴の体積・数等に合わせて適宜設定すればよく、例えば幅と長さがほぼ同等の幅広い単純な流路にしても良いし、連続した単一の長い流路を蛇行状（図１における液滴保持部６１）、渦巻き状に配列させても良い。また、液滴生成流路が液滴保持流路より流路断面積が小さい場合、線速が急激に変化する影響で流路の中心部と端部で流速に勾配が生じ液滴が効率よく捕捉できないため、液滴保持流路の上流に複数の分岐部を設けて緩やかに線速を減少させてもよい。
【００２６】
分岐部においては、ハイドロダイナミック・フィルトレーション法（以下ＨＤＦ）、ピンチド・フロー・フラクショネーション法（以下ＰＦＦ）、デターミニストリック・ラテラル・ディスプレイスメント法（以下ＤＬＤ）等の流体力学的な効果を利用して、液滴生成流路から流入した連続層を排出流路に選択的に流入させて、エマルジョン中の液滴密度を濃縮させる。但し、本発明における濃縮とは、目的の液滴の単位体積あたりの個数が相対的に高くなる場合のほか、目的外の液滴に対する目的の液滴の割合が増加する場合も含むこととする。
【００２７】
また、本発明において生成液滴全てを液滴保持部流路に移送することが一般的であるが、目的に応じて一部の液滴が排出流路に移送されても良い。例えば生成液滴のサイズが不均一で、特定のサイズの液滴を液滴保持流路に移送したい場合、上記流体力学的な効果を利用して目的の液滴をサイズ分離した後に前記流路へ移送してもよい。
【００２８】
分岐部５０において、ＤＬＤに基づく液滴のサイズ分離による濃縮を行う場合、エマルジョン流路４０において、複数のピラー３００がＤＬＤの理論に基づいて配置される構造が好ましい（図４）。
【００２９】
分岐部５０において、ＰＦＦに基づく液滴のサイズ分離による濃縮を行う場合、エマルジョン流路４０に対して、連続層を供給するシース液流路４００が合流して形成される狭隘流路４０１と、狭隘流路４０１の末端に接続される拡大流路４０２内で液滴がサイズごとに分離され、拡大流路４０２下流の液滴濃縮流路６０、排出流路７０へ各流体が流れる構造とするとよい（図５）。
【００３０】
分岐部５０において、慣性力を利用した液滴のサイズ分離による濃縮を行う場合、エマルジョン流路４０において、流体が下流へ向かって流れる際にディーン渦と呼ばれる二次流れが生じるよう、屈曲構造５００の流路とするとよく、前記二次流れが生じる流量条件を各流体の粘度や密度に応じて適宜調整することがより好ましい（図６）。
【００３１】
また、層流条件の一般的なマイクロ流路において、液滴は流速が最も大きくなる流域に沿って流れやすい性質を持つため（非特許文献３）、図７に示すような放物線型の流速分布では、液滴の中心が流路の中心に沿って流れる。この現象を利用すると、ＨＤＦの原理に基づいて、図７のような単純な流路構造であって、かつ高い濃縮倍率であっても、排出流路７０に連続層のみを移送し、濃縮流路６０に全ての液滴を安定して移送可能である。
【００３２】
本発明において、マイクロ流路チップが有する流路断面は、液滴の中心が流路の中心に沿って流れやすいため、円状、半円状、楕円状、凸型、凹型、長方形、台形が好ましい。また、以下の説明では、最も一般的な断面形状である長方形を例として取り上げるが、他の断面形状に関しても同様に考えることが可能である。  分岐部５０の構造は、十字構造が好ましく、液滴生成流路の末端（図１ではエマルジョン流路４０）と液滴保持流路（図１では濃縮流路６０）が分岐部を介して直線上に配置され、２つの排出流路７０が分岐部を介して直線上に配置されていることが好ましい。加えて、十字部における流線分布が液滴の流れ方向を軸として対称となっている方が液滴を安定して前記濃縮流路に移送しやすいため、２つの前記排出流路は液滴の流れ方向を軸として対称な流路構造になっていることが好ましい。また、流路の中心付近に沿って流れる液滴が前記排出流路に流入しにくいように、２つの排出流路における連続層の流量が同等である方が良いため、２つの排出流路の流路断面形状及び流路長さが同一であることが好ましい。
【００３３】
液滴は界面自由エネルギーが低い状態を保つように形状を維持する性質があるため、より断面積が大きい流路に流れやすい。よって、分岐部５０の上流の流路断面積は、濃縮流路６０の流路断面積以下であることが好ましく、濃縮流路６０の流路断面積は排出流路７０の流路断面積以上であることが好ましい。また、同様の液滴の性質より、分岐部５０の上流の流路高さは、濃縮流路６０と同じであり、排出流路７０以上であることが好ましい。
【００３４】
本装置は、濃縮流路６０と排出流路７０の流量比（Ｑ６０／Ｑ７０）を制御するため、濃縮流路６０から排出口８０までの流路が有する圧損抵抗（Ｒ６０）と排出流路７０から排出口８０までの流路が有する圧損抵抗（Ｒ７０）を考慮して流路構造を設計する必要がある。液滴生成を行うマイクロ流路チップでは、送液開始前に連続層又は連続層と類似した物性の液体を流路全体に充填しておくのが一般的であるが、連続層のみの粘度よりも液滴を含むエマルジョンの粘度の方が大きいため、時間経過で液滴が捕捉されると共にＲ６０が大きくなり、Ｑ６０／Ｑ７０が小さくなる。そこで、排出流路及び液滴保持流路が、その一部に流路断面積が一定となっている流路領域を有しており、液滴保持流路の当該流路領域の方が排出流路の当該流路領域よりも流路断面積が大きくなるように設計された装置であれば、濃縮流路よりも下流の流路（液滴保持流路を含む）および排出流路よりも下流の流路を気体（空気を含む）で満たした状態で送液を開始し、送液中に気体の代わりに連続層又はエマルジョンを充填し、排出口８０に連続層又はエマルジョンが侵入する前に送液を停止することによって、Ｑ６０／Ｑ７０を終始一定の条件で運転することが可能である。
【００３５】
本発明は上述した装置に、マイクロ流路チップ中の流体を温調できる温調部や、液滴のシグナルを検出する検出部をさらに備えてもよい。
【００３６】
反応生成物の検出は、当該生成物の特徴を考慮の上、公知の方法を用いて検出すればよい。なお、透過光を用いて検出する場合は、前記光を透過する材料でマイクロ流路チップ１００を作製すると、マイクロ流路チップ１００を光学検出器に載置するのみで、チップ１００内の液滴を移動させることなく反応生成物を検出できる点で好ましい。
【実施例】
【００３７】
以下、実施例及び参考例を用いてさらに詳細を説明するが、本発明はこれらに限定されるものではない。
【００３８】
フォトリソグラフィー及びソフトリソグラフィー技術を用いて、図１〜３に示す反応装置１を構成するマイクロ流路チップ１００を作製した。具体的な手順を以下に示す。
（１）４インチベアシリコンウェハ（フィルテック社）上へ、フォトレジストＳＵ−８  ３０５０（Ｍｉｃｒｏｃｈｅｍ社）を滴下後、スピンコーター（ＭＩＫＡＳＡ社）を用いてフォトレジスト薄膜を形成した。
（２）マスクアライナー（ウシオ電機社）とマイクロ流路チップ１００の流路パターンを形成したクロムマスクとを用いて、前記流路パターンをフォトレジスト膜へ形成させた後、ＳＵ−８  Ｄｅｖｅｌｏｐｅｒ（Ｍｉｃｒｏｃｈｅｍ社）を用いて流路パターンを現像することで、マイクロ流路チップ１００を構成する流路の鋳型を作製した（流路の高さ８０μｍ）。
（３）ＳＵ−８への吸着を抑えるために、Ｔｒｉｃｈｌｏｒｏ（１Ｈ，１Ｈ，２Ｈ，２Ｈ−ｐｅｒｆｌｕｏｒｏ−ｏｃｔｙｌ）ｓｉｌａｎｅ（Ｔｈｅｒｍｏ  Ｆｉｓｈｅｒ  Ｓｃｉｅｎｔｉｆｉｃ社）による蒸着表面処理を行なった。
（４）（３）の処理を行なった鋳型へ、ＳＹＬＧＡＲＤ  ＳＩＬＩＣＯＮＥ  ＥＬＡＳＴＯＭＥＲ  ＫＩＴ（東レ・ダウコーニング社）を用いて調製した未硬化のシロキサンモノマーと重合開始剤との混合物（重量比１０：１）を流し込み、８０℃で２時間加熱することで、流路の形状が転写されたポリマー（ＰＤＭＳ）基板１０１を作製した。
（５）ポリマー基板１０１を鋳型から慎重に剥がし、カッターで成形後、パンチャーを用いて分散層流入部１０及び連続層流入部２０、並びに排出口８０を形成した。
（６）流入部及び排出口を形成したポリマー基板１０１並びにカバーガラス１０２（松浪硝子社）を酸素プラズマ発生装置（メイワフォーシス社）で表面処理後、ＰＤＭＳ基板１０１パターン面とカバーガラス１０２とを貼り合わせた。
（７）２％  Ｔｒｉｃｈｌｏｒｏ（１Ｈ，１Ｈ，２Ｈ，２Ｈ−ｐｅｒｆｌｕｏｒｏ−ｏｃｔｙｌ）ｓｉｌａｎｅ（Ｔｈｅｒｍｏ  Ｆｉｓｈｅｒ  Ｓｃｉｅｎｔｉｆｉｃ社）含有エタノールを流路に導入し、３０分間放置することで、流路壁面の表面を修飾後、エタノールを用いて流路内を洗浄し、風乾することでマイクロ流路チップ１００を作製した。作製したチップは真空デシケーター内に保存した。
【００３９】
作製したマイクロ流路チップ１００は、縦４３ｃｍ×横６３ｃｍの大きさであり、分散層流入部１０はφ４ｍｍの穴を、連続層保持部２０はφ６ｍｍの穴を、排出口８０はφ１．５ｍｍの穴を、それぞれ設けている。
マイクロ流路チップ１００におけるソフトリソグラフィーによって形成された流路の高さは全て８０μｍである。分散層流入部１０から液滴形成部３０に至るまでの流路１１は幅１００μｍ×長さ７１ｍｍの蛇行を含む流路であり、連続層流入部２０から液滴形成部３０に至るまでの２つの流路２１はそれぞれ屈曲部を二箇所有した幅１００μｍ×長さ５３ｍｍの直線流路である。液滴形成部３０は、前記流路１１と２つの流路２１とが角度９０度で十字に交差する（角Ｒなし）ことで合流した反応液と非混和性液体とを接触させ、液滴生成部３０もしくはエマルジョン流路４０内で合流した反応液の液滴を形成する。エマルジョン流路４０は液滴生成部に直接交わる流路は幅８０μｍ×長さ１００μｍで、その下流は幅２００μｍ×長さ６８０μｍの直線流路であり、さらにその下流はＲ２７５μｍの円弧曲線で構成された蛇行を含めた幅２００μｍ×長さ１１．５ｍｍの撹拌用流路であり、さらにその下流は長さ７００μｍに渡って幅２００μｍから１６５μｍまで約１度で狭窄され、幅１６５μｍ×長さ１．９７ｍｍの直線流路が分岐部５０に直接交わるように構成されている。分岐部５０は、エマルジョン流路に対して直線状に存在する幅１６５μｍの濃縮流路６０と、その直線に角度９０度で２つの幅１６５μｍの排出流路７０ａ／ｂが交わって構成されている（角Ｒなし）。濃縮流路６０は、屈曲部を１箇所所有した幅１６５μｍ×長さ２．５ｍｍの流路が分岐部５０で交わり、その下流で長さ６００μｍに渡って幅１６５μｍから８００μｍまで３０度で寛広されて、液滴保持部６１につながっている。排出流路７０ａ／ｂは、幅１６５μｍ×長さ２．１ｍｍの直線流路が分岐部５０で交わり、その下流で長さ６００μｍに渡って幅１６５μｍから８００μｍまで３０度で寛広され、さらにその下流はＲ５００μｍの円弧曲線で構成された蛇行（屈曲部）を含めた幅８００μｍ×長さ３６５ｍｍの流路であり、さらにその下流は長さ２ｍｍに渡って幅８００μｍから８０μｍまで約３０度で狭窄され、圧損調整流路７２ａ／ｂとつながっている。液滴保持部６１は、Ｒ５００μｍの円弧曲線で構成された蛇行（屈曲部）を含めた幅８００μｍ×長さ３８２ｍｍの流路であり、その下流は長さ４．７８ｍｍに渡って幅８００μｍから２００μｍまで約４度で狭窄され、圧損調整流路６２とつながっている。圧損調整流路７２ａ／ｂは、Ｒ１４０μｍの円弧曲線で構成された蛇行（屈曲部）を含めた幅８０μｍ×長さ１１３ｍｍの流路であり、その下流の幅２００μｍ×長さ８００μｍの流路が排出口とつながっている。圧損調整流路６２は、Ｒ３００μｍの円弧曲線で構成された蛇行（屈曲部）を含めた幅２００μｍ×長さ５ｍｍの流路であり、そのまま排出口８０につながっている。
【００４０】
実施例１
作製したマイクロ流路チップ１００を用いて、送液中の濃縮用分岐部の液滴濃縮の様子と、送液停止後の液滴保持流路の液滴の様子を観測した。
【００４１】
長方形の断面を持つ流路を流れる場合、液滴の密度ｄは、液滴体積Ｖ、流路高さｈ、流路幅ｗ、隣接する液滴同士の中心間距離Ｌから、式（１）で表わされる。これは、液滴１個が存在するエマルジョンの体積がｗ×ｈ×Ｌであることから算出でき、液滴の形状にかかわらず成り立つ。
【００４２】
【数１】
2020169911.tif 000003
【００４３】
また、球状、ディスク状の液滴の体積Ｖｄｒｏｐ、Ｖｄｉｓｋ［ｎＬ］は、式（２）と式（３）で表わされる（非特許文献４）。
【００４４】
【数２】
2020169911.tif 000004
【００４５】
【数３】
2020169911.tif 000005
【００４６】
本実施例では、これらの式を用いて、液滴の密度及び液滴の体積を算出した。
【００４７】
（１）分散層流入部１０に導入する水溶液として、下記組成の水溶液を調製した。なお、下記組成の水溶液は、核酸増幅反応の１つであるＴＲＣ反応を使用する際の反応開始液の組成を模している。
３６．８ｍＭ          塩化マグネシウム
１８０．０ｍＭ        塩化カリウム
０．２％（ｗ／ｖ）    Ｔｗｅｅｎ  ２０
１８．０％（ｖ／ｖ）  ＤＭＳＯ
２．５％（ｖ／ｖ）    グリセロール
（２）液滴内でＴＲＣ反応を行う想定で、ガラスヒーター（ブラスト社）を倒立型顕微鏡ＩＸ７１（オリンパス社）に設置して、ＴＲＣ反応温度である４６℃で加熱した状態で、マイクロ流路チップ１００の送液及び観察を行った。
（３）金属針（武蔵エンジニアリング社）とＰＴＦＥチューブ（ニチアス社）を接続し、Ｄｒｏｐｌｅｔ  Ｇｅｎｅｒａｔｏｒオイル  ｆｏｒ  ＥｖａＧｒｅｅｎ（Ｂｉｏｒａｄ社、以下、単にオイルとも表記する）を充填したシリンジ（容量１ｍＬ、テルモ社）をシリンジポンプ（ＫＤＳｃｉｅｎｔｉｆｉｃ社）にセットし、前記ＰＴＦＥチューブの先端をマイクロ流路チップ１００に設けた排出口８０に接続して、排出口８０から前記シリンジポンプでオイルを導入することでマイクロ流路チップ１００内にオイルを充填させた。さらに連続層流入部２０にオイルを１００μＬ滴下した。
（４）分散層流入部１０内のオイルを取り除いて、上記水溶液を３０μＬ滴下した。
（５）シリンジポンプを用いて１０００μＬ／時間の流速で排出口８０からオイルを吸引した。吸引開始から２０〜６０秒で液滴生成が安定化した。
（６）倒立型顕微鏡ＩＸ７１（オリンパス社）に載置し、デジタルＣＭＯＳカメラ（ＯＲＣＡ−ＦＬＡＳＨ、浜松フォトニクス社）を用いて、吸引開始から１分後、３分後、５分後、７分後、１７分後における明視野画像を取得した。
（７）送液停止後の液滴保持部６１の液滴の明視野画像を取得した。
（８）（７）で取得した明視野画像を用いて液滴体積を測定した。まず、画像解析ソフト（ＩｍａｇｅＪ）を利用して、ランダムに抽出した２０〜４０個の液滴の直径（Ｄｄｉｓｋ）の平均値を測定した。次に、測定した液滴の直径を、式（３）を利用し、液滴体積（Ｖ［ｎＬ］）を計算した。なお、本特許記載の実施例において、ディスク状の液滴の直径の平均値Ｄｄｉｓｋ＝１３２μｍ、流路深さｈ＝８０μｍであるため、式（３）より液滴体積Ｖ＝０．９６ｎＬとした。
（９）（６）で取得した明視野画像を用いて、送液開始からの経過時間毎の濃縮倍率αを測定した。まず、画像解析ソフト（ＩｍａｇｅＪ）を利用して、濃縮用分岐部５０のエマルジョン流路４０と濃縮流路６０における最も近い液滴同士の中心間距離（Ｌ［μｍ］）を測定した。
【００４８】
液滴密度ｄを式（１）より算出した。加えて、液滴が全て濃縮流路６０に移送される場合、エマルジョン流路４０における液滴の体積流量（Ｑ４０、液滴）と濃縮流路６０における液滴の体積流量（Ｑ６０、液滴）は一致する。よって、濃縮前後における全体の流量の比、すなわち濃縮倍率α＝ｄ６０／ｄ４０と計算できる。
送液開始から１分後、３分後、５分後、７分後、１７分後の濃縮用分岐部の様子を示す明視野画像を図８に示す。液滴保持流路における送液開始から７分後以降に生成・濃縮された液滴の様子を示す明視野画像を図９に示す。図８より、濃縮用分岐部５０でオイルのみ除かれることで、濃縮流路６０に液滴がより濃縮されていることが確認できる。なお、送液開始から１７分間、排出流路７０に液滴が移送されることはなく、全ての液滴が濃縮流路６０及び液滴保持部６１に移送された。
また、（８）〜（９）の手順に従って濃縮倍率αを計算した結果を表１に示す。
【００４９】
【表１】
2020169911.tif 000006
【符号の説明】
【００５０】
１：測定装置
１００：マイクロ流路チップ
１０１：ポリマー基板
１０２：カバーガラス（ガラス基板）
１０：分散層流入部
１１、２１：流路
２０：連続層流入部
３０：液滴生成部
４０：エマルジョン流路
５０：分岐部
６０：液滴濃縮流路
６１：液滴保持部
６２：液滴濃縮流路側圧損調整流路
７０：排出流路
７２：連続層排出流路側圧損調整流路
８０：排出口
２００：ポンプ
３００：ピラー
３０１：液滴
４００：シース液流路
４０１：狭隘流路
４０２：拡大流路
５００：屈曲構造
【図１】
2020169911.tif 000007
【図２】
2020169911.tif 000008
【図３】
2020169911.tif 000009
【図４】
2020169911.tif 000010
【図５】
2020169911.tif 000011
【図６】
2020169911.tif 000012
【図７】
2020169911.tif 000013
【図８】
2020169911.tif 000014
【図９】
2020169911.tif 000015